(57)【特許請求の範囲】
【請求項１】
人の皮膚にイオン導入を行う美容機器であって、
前記人の皮膚に装着される電極と、
交流信号と、該交流信号よりも高い周波数を有する高周波信号とを重畳すると共に、前記高周波信号の重畳位置を前記交流信号の前記イオン導入に寄与しない極性領域にのみ選択的に設定してなる電気信号を、前記電極に対して供給する電気信号供給手段と、
を有することを特徴とする美容機器。
【請求項２】
前記交流信号の周波数ｆが1Hz＜ｆ≦20000Hzの範囲にあることを特徴とする請求項１記載の美容機器。
【請求項３】
前記電気信号供給手段は、イヤホン端子、Ｄｏｃｋ端子、及びＵＳＢ端子の少なくとも一の端子を介して前記電極に前記電気信号を供給することを特徴とする請求項１又は２記載の美容機器。
【請求項４】
人の皮膚にイオン導入を行う美容機器の電極に対し、
交流信号と、該交流信号よりも高い周波数を有する高周波信号とを重畳すると共に、前記高周波信号の重畳位置を前記交流信号の前記イオン導入に寄与しない極性領域にのみ選択的に設定してなる電気信号を供給することを特徴とする通電方法。
【請求項５】
前記交流信号の周波数ｆが1Hz＜ｆ≦20000Hzの範囲にあることを特徴とする請求項４記載の通電方法。
【請求項６】
交流信号と該交流信号よりも高い周波数を有する高周波信号とを重畳しており、前記高周波信号の重畳位置を前記交流信号のイオン導入に寄与しない極性領域のみに選択的に設定してなる電気信号を記録してなる記録媒体。
【請求項７】
前記交流信号の周波数ｆが1Hz＜ｆ≦20000Hzの範囲にあることを特徴とする請求項６記載の記録媒体。
【発明の詳細な説明】
【技術分野】
【０００１】
本発明は、イオン導入を行う美容機器及び通電方法及び記録媒体に関する。
【背景技術】
【０００２】
従来では、ユーザの皮膚等に対して何らかの信号（例えば、電流等）を与えることで、皮膚等を適切な状態へと導く各種の方法が知られている。例えば、美容方法の一例としては、皮膚に微弱な電流を流すことで、例えば水溶性の有効成分を皮膚内に効果的に導入するイオン導入法等が知られている。
【０００３】
例えば、皮膚の角質層には、異物の侵入を防ぐバリア機能がある。従って、単に化粧水を皮膚に塗布しても化粧水に配合される水溶性のビタミンＣ等は、このバリア機能により浸透を阻止され、皮膚の深層まで浸透されにくい。しかしながら、上述したイオン導入法によれば、電気の力を利用することにより、化粧水中の有効成分を、バリア層を超えて皮膚の深層まで浸透させることができる。
【０００４】
なお、従来では、上述したような美容施術をユーザ自らが行うための専用の美容機器が知られている（例えば、特許文献１参照）。
【先行技術文献】
【特許文献】
【０００５】
【特許文献１】特許第４２１７９８４号公報
【発明の概要】
【発明が解決しようとする課題】
【０００６】
上述した特許文献１に示されているような専用の美容機器等は、比較的高価であり、容易に手に入れにくい。そこで、専用の美容機器の代替手段として、例えば、携帯電話、ＰＣ(Personal  Computer)、ＰＤ(Portable  Device)、ＰＤＡ(Personal  Data  Assistant)、ゲーム機等の情報処理装置のコンテンツ出力端子（イヤホン端子、Ｄｏｃｋ端子、ＵＳＢ(Universal  Serial  Bus)端子）からイオン導入施術用の電気信号を取得することが考えられる。
【０００７】
しかしながら、情報処理装置のコンテンツ出力端子の規格は端末ごとに異なる。また、イオン導入では、電極に供給する電気信号としてパルス直流を利用することが一般的であるが、パルス直流の信号を出力ができる端末はほとんどなかった。
【０００８】
そこで電極に供給する電気信号として交流信号を用いることが提案されているが、交流信号によるイオン導入では、周波数の低い信号（1Hz以下の信号）でしか効果を得ることができなかった。
【０００９】
従って、情報処理装置から1Hz以下の低い周波数の信号を出す必要があるが、情報処理装置から出力されるオーディオ信号は通常、可聴域の周波数（20〜20000Hz）しか対応していないため、1Hz以下の低い周波数の信号を出力しようとすると波形が乱れ、安定的にイオン導入を行うことは困難であった。
【００１０】
本発明は上記の点に鑑みてなされたものであり、イヤホン端子等の出力端子から出力される電気信号により確実なイオン導入を行うことを可能とした美容機器及び通電方法及び記録媒体を提供することを目的とする。
【課題を解決するための手段】
【００１１】
上記の課題は、第１の観点からは、
人の皮膚にイオン導入を行う美容機器であって、
前記人の皮膚に装着される電極と、
交流信号と、該交流信号よりも高い周波数を有する高周波信号とを重畳すると共に、前記高周波信号の重畳位置を前記交流信号の前記イオン導入に寄与しない極性領域にのみ選択的に設定してなる電気信号を、前記電極に対して供給する電気信号供給手段とを有することを特徴とする美容機器により解決することができる。
【００１２】
また上記の課題は、第２の観点からは、
人の皮膚にイオン導入を行う美容機器の電極に対し、
交流信号と、該交流信号よりも高い周波数を有する高周波信号とを重畳すると共に、前記高周波信号の重畳位置を前記交流信号の前記イオン導入に寄与しない極性領域にのみ選択的に設定してなる電気信号を供給することを特徴とする通電方法により解決することができる。
【００１３】
また上記の課題は、第３の観点からは、
周波数ｆが1Hz＜ｆ≦20000Hzの範囲にある交流信号に、該交流信号よりも高い周波数を有する高周波信号を重畳してなる電気信号を記録してなる記録媒体により解決することができる。
【発明の効果】
【００１４】
開示の発明によれば、情報処理装置の出力端子から出力される高周波の交流信号によっても確実なイオン導入を行うことが可能となる。
【図面の簡単な説明】
【００１５】
【図１】図１は、本発明の一実施形態である美容機器の構成図である。
【図２】図２は、本発明の一実施形態である美容機器の機能構成を示す図である。
【図３】図３は、本発明の一実施形態である美容機器のハードウェア構成を示す図である。
【図４】図４は、本発明の一実施形態である美容機器でイオン導入を行う際に用いるイオン導入用信号の波形を参考例である波形と共に示す図である。
【図５】図５は、本発明の一実施形態である美容機器でイオン導入を行う際に用いるイオン導入用信号を構成する交流信号と高周波信号を示す図である。
【図６】図６は、イオン導入用信号の一実施例である波形を示す図である。
【図７】図７は、イオン導入用信号によりイオン導入を行ったときの効果を示す図である。
【発明を実施するための形態】
【００１６】
次に、本発明の実施の形態について図面と共に説明する。
【００１７】
図１（Ａ）は本発明の一実施形態である美容機器１０の全体構成を示す図であり、図１（Ｂ）は情報処理装置２０に接続される電極パッド３１の構造を示す断面図である。
【００１８】
美容機器１０は、図１（Ａ）に示すように、情報処理装置２０と美容施術装置３０とを有している。
【００１９】
情報処理装置２０は、例えば多機能情報端末装置であり、電話機能、インターネット接続機能、音楽再生機能等の基本機能の他、アプリケーションを取り込むことにより種々の機能を実現できるものである。
【００２０】
本実施形態では、多機能情報端末装置である情報処理装置２０を美容機器１０の一部として機能させ、情報処理装置２０のから出力される電気信号（イオン導入用信号という）を用いてユーザ（被施術者）に対してイオン導入（美容施術）を行う。
【００２１】
本実施形態における情報処理装置２０としては、例えばｉＰｈｏｎｅ（登録商標）、スマートフォン等の携帯電話、ＰＤＡ、ｉＰｏｄ（登録商標）、ｉＰａｄ（登録商標）等のＰＤや、ＰＣ等の情報処理装置を用いることができるが、本発明においてはこれに限定されるものではない。なお、情報処理装置２０の具体的な構成については、説明の便宜上、後述するものとする。
【００２２】
美容施術装置３０は、電極パッド３１と、化粧料や薬液等（以下の説明では化粧水を例に挙げて説明する）の有効成分を含浸する含浸材３２とを有している。電極パッド３１は、絶縁性を有したベース材３１ａ，３１ｂの夫々にカーボンシート電極３３Ａ，３３Ｂが設けられた構成とされている。
【００２３】
カーボンシート電極３３Ａ，３３Ｂは、オーディオケーブル３４を介して情報処理装置２０の出力端子２０Ａに接続されている。具体的には、出力端子２０Ａの一方側はケーブル３４Ａを介してカーボンシート電極３３Ａに接続され、出力端子２０Ａの他方側はケーブル３４Ｂを介してカーボンシート電極３３Ｂに接続される。
【００２４】
なお、出力端子２０Ａとしては、情報処理装置２０に設けられているイヤホン端子、Ｄｏｃｋ端子、ＵＳＢ(Universal  Serial  Bus)端子等を用いることができる。
【００２５】
含浸材３２は、コットン，不織布等の含水性の材料よりなる。このマスク３２は、イオン導入を行いたい部位に対応した各種の形態が用意されている。図１（Ａ）に示す例では、含浸材３２として、顔に装着するマスクを例に示している（以下、図示される含浸材をマスク３２という）。
【００２６】
化粧料の成分は電解質であり、よってその成分はプラスイオンとマイナスイオンに電離している。よって、マスク３２に含浸された状態であっても、化粧水の成分はプラスイオンとマイナスイオンに電離した状態となっている。
【００２７】
ユーザが美容機器１０を用いてイオン導入処理を行う場合、先ずユーザは美容施術装置３０をイオン導入を所望する皮膚４０上に装着する。具体的には、美容施術装置３０を構成するマスク３２を先ずイオン導入を所望する皮膚４０上に装着する。
【００２８】
続いて、このマスク３２上に電極パッド３１を装着する。電極パッド３１にはカーボンシート電極３３Ａ，３３Ｂが配設されており、よって装着状態において各カーボンシート電極３３Ａ，３３Ｂは化粧水が含浸されたマスク３２と接触する。
【００２９】
カーボンシート電極３３Ａには、情報処理装置２０から出力されるイオン導入用信号が供給される。カーボンシート電極３３Ａにイオン導入用信号が供給されると、カーボンシート電極３３Ａ，３３Ｂを介して皮膚内にイオン導入用信号の波形に対応した微弱な電流が流れ、その電流による電荷反発によって皮膚４０に化粧水に含まれる薬剤の浸透促進が図られる。これにより、ユーザの肌へのイオン導入を行うことが可能となる。なお、イオン導入用信号の波形等については、後に詳述する。
【００３０】
次に、図２を用いて情報処理装置２０の機能構成について説明する。
【００３１】
情報処理装置２０は、入力手段４１、出力手段４２、記録手段４３、信号再生手段４４、画面生成手段４５、ネットワーク接続手段４６、及び制御手段４７等を有している。
【００３２】
入力手段４１は、例えば携帯電話、スマートフォン等の操作キーや、ＰＣ等のキーボードやマウス等のポインティングデバイス等からなる。入力手段４１は、ユーザ等からの各種指示の開始、終了等の入力を受け付ける。また、入力手段４１は、例えばマイク等の音声入力端子から構成されても良い。
【００３３】
出力手段４２は、例えばディスプレイ等の表示画面からなる。出力手段４２は、入力手段４１により入力された内容や、入力内容に基づいて実行された内容を表示する。この際、タッチパネルを用いることにより、入力手段４１と出力手段４２とを一体的な構成することも可能である。
【００３４】
また、出力手段４２は、オーディオ信号等を出力するための出力端子２０Ａが接続されている。上記した美容施術装置３０は、この出力端子２０Ａに接続される。なお、出力端子２０Ａには、上述したＤｏｃｋ端子やＵＳＢ端子等も含まれる。
【００３５】
記録手段４３は、情報処理装置２０に各種処理を実行させるためのアプリケーションプログラム、及び処理に必要な各種データが記録される。本実施形態であるイオン導入処理を行うためのアプリケーションプログラム（以下、イオン導入処理用プログラムという）、信号再生手段４４で再生されるイオン導入用信号、ユーザ情報、イオン導入等の施術内容データ、施術時間データ等もこの記録手段４３に記録される。
【００３６】
信号再生手段４４は、記録手段４３に記録されているイオン導入用信号を再生し、これを出力手段４２及び出力端子２０Ａを介して美容施術装置３０に出力する。イオン導入用信号は、例えばｗａｖ（ＷＡＶＥ）ファイル、ＡＩＦＦ、ｍｐ３、ｍｐ４、ＷＭＡ、ＡＡＣ、ＲｅａｌＡｕｄｉｏ、ＭＩＤＩ等のオーディオファイルの形式で、或いはＡＶＩ、Ｑｕｉｃ  Ｔｉｍｅ、Ｍｐｅｇ−１、Ｍｐｅｇ−２、ＷＭＶ、ＦＬＶ等の動画ファイルの形式で記録手段４３に記録されている。
【００３７】
このイオン導入用信号用のファイルとして使用できるファイル形式を総称する場合、以下コンテンツファイルというものとする。よって、このコンテンツファイルには、オーディオファイル及び動画フィルの各ファイルが含まれる。また、このコンテンツファイルには、ファイル変換されることにより信号再生手段４４により再生可能なフィル形式に変換可能な各種フィルも含まれるものとする。更に以下の説明において、イオン導入用信号が記録されたコンテンツファイルを、特にイオン導入用信号ファイルというものとする。
【００３８】
画面生成手段４５は、例えばユーザに施術内容を入力させるためのメニュー画面や、施術内容、施術経過、施術結果等を表示する画面等を生成する。画面生成手段４５で生成された画面は、出力手段４２を構成するディスプレイ等に表示される。
【００３９】
ネットワーク接続手段４６は、例えばインターネット等の通信ネットワークと接続可能な構成とされている。よって情報処理装置２０は、ネットワーク接続手段４６を介して情報処理装置２０において処理される各種プログラム及び各種データ（イオン導入処理用プログラム及びイオン導入用信号ファイルを含む）をインストールすることができる。
【００４０】
このネットワーク接続手段４６を介してインストールされた各種プログラム及び各種データは、記録手段４３に記録される。また、情報処理装置２０において生成された各種データ（例えば、イオン導入に関するデータ）を通信ネットワークを介して外部装置（例えば、イオン導入プログラムを配信している化粧品メーカのサーバ等）に送信することも可能である。
【００４１】
制御手段４７は、記録手段４３に記録されている各種プログラムを実行することにより、当該プログラムに対応した機能を実現する。本実施形態では、制御手段４７は記録手段４３に記録されているイオン導入処理用プログラムを実行することにより、情報処理装置２０を美容機器１０として機能させる。
【００４２】
具体的には、制御手段４７はイオン導入処理用プログラムを実行することにより、記録手段４３に記録されているイオン導入用信号ファイルを信号再生手段４４において再生してイオン導入用信号を生成し、これを出力手段４２及び出力端子２０Ａを介して美容施術装置３０に供給する。また美容施術装置３０には、上記の各手段に加えて、出力端子２０Ａに対して過電流などの障害を防ぐ端末保護手段を備えても良い。
【００４３】
なお、上記の出力端子２０Ａ，出力手段４２，記録手段４３，信号発生手段４４，及び制御手段４７は、請求項に記載の電気信号供給手段を構成する。
【００４４】
次に、図３を用いて、上述した情報処理装置２０を構成するハードウェア構成について説明する。図３は、情報処理手段を実現するハードウェア構成の一例を示す図である。
【００４５】
図３に示すように、情報処理装置２０は、入力装置５１、出力装置５２、ドライブ装置５３、補助記憶装置５４、メモリ装置５５、演算処理装置（ＣＰＵ）５６、ネットワーク接続装置５７、及び記録媒体５８等を有しており、それぞれはバスＢで相互に接続された構成とされている。
【００４６】
入力装置５１は、ユーザが操作するキーボード、マウス等のポインティングデバイスや、ユーザが操作するタッチパネル等からなり、ユーザからの種々の操作指示を入力するために用いられる。
【００４７】
出力装置５２は、情報処理装置２０を操作するのに必要な各種ウィンドウやデータ等を表示するディスプレイ等を有する。また、出力手段５２には、スピーカーやイヤホン等に音声を出力するための出力端子２０Ａ（イヤホン端子、Ｄｏｃｋ端子、ＵＳＢ端子等）も含まれる。
【００４８】
ドライブ装置５３は記録媒体５８が装着され、記録媒体５８に記録されている各種プログラム及び各種データを読み取る。このドライブ装置５３で読み取られた各種プログラム及び各種データは、補助記憶装置５４に記憶される。
【００４９】
なお、各種プログラム及び各種データを記録した記録媒体５８は、ＣＤ−ＲＯＭ、フレキシブルディスク、光磁気ディスク（ＭＯ）等のように情報を光学的、電気的或いは磁気的に記録する記録媒体、又はＲＯＭ、フラッシュメモリ等のように情報を電気的に記録する半導体メモリ等、様々なタイプの記録媒体を用いることが可能である。
【００５０】
補助記憶装置５４は、ハードディスク等のストレージ手段である。この補助記憶装置５４は、ＣＰＵ５６で実行される各種プログラムの処理に応じ、ＣＰＵ５６に対して各種ファイルや各種データの入出力を行う。
【００５１】
メモリ装置５５は、ＣＰＵ５６により補助記憶装置５４から読み出された実行プログラム等を格納する。なお、メモリ装置５５は、ＲＯＭやＲＡＭ等からなる。
【００５２】
ＣＰＵ５６は、ＯＳ等の制御プログラム、メモリ装置５５に格納されている実行プログラムに基づいて、各種演算処理、各ハードウェア構成部とのデータの入出力処理、及びコンピュータ全体の制御処理等を実行する。
【００５３】
ネットワーク接続装置５７は、前記したネットワーク接続手段４６を実現するものであり、インターネット等の通信ネットワークと接続可能な構成とされている。
【００５４】
本実施形態に係る美容機器１０では、上述したハードウェア構成を有する情報処理装置２０を用いている。この情報処理装置２０は、特にイオン導入処理を行うために追加したハードウェア構成は存在しない。従って、情報処理装置２０は、通常市販されている多機能情報端末装置をそのまま使用することができる。
【００５５】
本実施形態では、この情報処理装置２０に対してイオン導入処理用プログラム及びイオン導入用信号ファイルをインストールし、この情報処理装置２０に美容施術装置３０を接続することにより、情報処理装置２０及び美容施術装置３０をイオン導入処理を行いうる美容機器１０として機能させるものである。
【００５６】
この情報処理装置２０にインストールされるイオン導入処理用プログラム及びイオン導入用信号ファイルは、これらのプログラム及びファイルを提供している提供サーバがある場合には、この提供サーバから通信ネットワークを介してインストールしてもよく、またＣＤ−ＲＯＭ等の記録媒体５８に記録して提供している場合には、この記録媒体５８をドライブ装置５３において読み取ることによりインストールしてもよい。更には、情報処理装置２０を製造する際にプリインストールしても良い。
【００５７】
図４（Ａ）は、本発明の一実施形態であるイオン導入用信号の信号波形を示している。これに対し、図４（Ｂ）は第１参考例であるイオン導入用信号の信号波形を示しており、図４（Ｃ）は第２参考例であるイオン導入用信号の信号波形を示している。
【００５８】
先ず、図４（Ｂ）に示す第１参考例に係るイオン導入用信号について説明する。この第１参考例に係るイオン導入用信号は、信号周波数が1Hz以下の低周波の交流パルス信号である。この第１参考例に係るイオン導入用信号は、従来からイオン導入用の信号として使用されているものである。
【００５９】
この1Hz以下の低周波の交流パルス信号をイオン導入用信号として用いた場合、イオン導入用信号においてイオン導入に寄与する領域の時間T1が長く、よってイオン導入を良好に行うことができる。なお、以下の説明において、イオン導入用信号においてイオン導入に寄与する領域の時間をイオン導入寄与時間という。
【００６０】
しかしながら、情報処理装置２０である多機能情報端末装置の出力端子２０Ａは1Hz以下の低周波信号には対応しておらず、よって情報処理装置２０から美容施術装置３０に向けてこのような低周波のイオン導入用信号を供給することは困難であることは前述した通りである。
【００６１】
一方、図４（Ｃ）に示す第２参考例に係るイオン導入用信号は、1Hzより大きい周波数を有している。よって、図４（Ｃ）に示されるイオン導入用信号は、図４（Ｂ）に示した一般にイオン導入信号として用いられている周波数に比べて高い周波数である。
【００６２】
この1Hzより大きい周波数の交流パルス信号をイオン導入用信号として用いた場合、当該イオン導入用信号においてイオン導入に寄与する領域の時間T2（イオン導入寄与時間）は、図４（Ｃ）に示したイオン導入寄与時間T1に比べて短くなる（T2＜T1）。
【００６３】
従って、この1Hzより大きい周波数のイオン導入用信号を用いてイオン導入処理を行った場合、イオン導入寄与時間T2が短いため、図４（Ｃ）に示したイオン導入用信号を用いた場合に比べ、イオン導入の効率は低下する。
【００６４】
これに対して本実施形態に係るイオン導入用信号は、図４（Ａ）に示すように、交流パルス信号のイオン導入に寄与しない極性領域（本実施形態では、プラス極性の領域）に、交流パルス信号よりも高い周波数を有する高周波信号を重畳した信号波形とされている。図５は、本実施形態に係るイオン導入用信号を構成する交流パルス信号と、高周波信号を分離して示す図である。
【００６５】
図５（Ａ）は、交流パルス信号を示している。この図５（Ａ）に示される交流パルス信号は、下限値が1Hzを越えると共に上限が可聴可能周波数とする交流信号である。具体的には、交流パルス信号の周波数は、その周波数ｆが1Hz＜ｆ≦20000Hzの範囲にある交流信号である。交流パルス信号の周波数ｆをこの範囲で選定することにより、情報処理装置２０の出力端子２０Ａから美容施術装置３０に対して本実施形態に係るイオン導入用信号を供給することが可能となる。
【００６６】
図５（Ｂ）は、交流パルス信号に重畳される高周波信号を示している。この高周波信号はバースト状の直流パルス信号であり、その周波数は、例えば交流パルス信号の10倍程度の周波数とすることができる。更に、図５（Ｂ）に示す高周波信号の振幅値E2は、図５（Ａ）に示す交流パルス信号の振幅E1に対し、例えばE2＝0.125×E1程度に設定されている。
【００６７】
なお、この交流パルス信号の振幅E1、高周波信号の振幅値E2、及び乗算される定数値（上記の例では0.125）は、化粧水に含まれるイオン特性、イオン導入を行う肌の状態等により適宜調整されるものである。
【００６８】
図４（Ａ）に示す本実施形態に係るイオン導入用波形は、図５（Ａ）に示す交流パルス信号と図５（Ｂ）に示す高周波信号とを重畳することにより生成される。このイオン導入用波形が格納されたイオン導入用信号ファイルは、通信ネットワークを用いて情報処理装置２０にインストールされる構成としてもよい。また、イオン導入用信号ファイルは、ＣＤ−ＲＯＭ等の記録媒体に格納し、これを情報処理装置２０に装着することによりインストールされる構成としてもよい。
【００６９】
本実施形態では、上記のようにインストールされたイオン導入用信号ファイルを再生することにより、図４（Ａ）に示す本実施形態に係るイオン導入用波形を得る構成としている。しかしながら、情報処理装置２０の内部に、図５（Ａ）に示す交流パルス信号を生成する第１の信号発生手段と、図５（Ｂ）に示す高周波信号を生成する第２の信号発生手段と、各信号発生手段で生成された信号を重畳する信号合成手段とを内設することにより、情報処理装置２０内で図４（Ａ）に示す本実施形態に係るイオン導入用波形を生成する構成とすることも可能である。
【００７０】
なお上記した図４を用いた説明においては、説明の便宜上、信号波形としてパルス信号を例に挙げて説明している。しかしながら、本実施形態に係るイオン導入用信号の信号波形はパルス信号に限定されるものではなく、正弦波信号等の他の信号波形に対しても適用は可能である。
【００７１】
次に、上記構成とされた美容機器１０を用いてイオン導入を行うと共に、イオン導入後におけるイオン導入効果を求める実験を行った実験結果について説明する。
【００７２】
本実験では、イオン導入の薬剤としてメラニンの生成抑制及び排出効果を有する４ＭＳＫ（サリチル酸の誘導体である4-メトキシサリチル酸カリウム塩：１％、pH6）を用い、これをマスク３２に含浸させた。また、イオン導入は４人のパネルの顔に対して実施した。
【００７３】
また、イオン導入用信号の皮膚４０への通電方法としては、パネルの顔に装着されるマスク３２に電極パッド３１（図１参照）を装着し、情報処理装置２０から出力端子２０Ａ及びオーディオケーブル３４を介してカーボンシート電極３３Ａ，３３Ｂに対して本実施形態に係るイオン導入用信号を供給した。
【００７４】
なお、参考例として、イオン導入を行うことなく単に薬剤を含浸させたマスク３２をパネルの顔に装着し、これのみで薬剤を肌に浸透させる実験も行った。
【００７５】
図６は、本実験で用いた本実施形態に係るイオン導入用信号を示している。同図に示すイオン導入信号は、交流信号として周波数ｆが1Hz＜ｆ≦20000Hzの範囲にある正弦波形信号を用い、そのイオン導入に寄与しない極性領域（図中、破線の矢印で示す領域）に交流信号よりも高い周波数の高周波信号を重畳させた。具体的には、図６に示すイオン導入用信号では、交流信号の周波数を100Hzとし、また高周波信号の周波数を1000Hzとしている。
【００７６】
また、美容施術装置３０に上記のイオン導入用信号を供給する情報処理装置２０としてはｉＰｈｏｎｅ（登録商標）を使用し、ｉＰｈｏｎｅの出力端子に美容施術装置３０を接続した。また、イオン導入箇所は人の顔とし、カーボンシート電極３３Ａ，３３Ｂに印加される電圧は、±1.5V（3Vpp）とした。
【００７７】
更に、本実験では高周波信号を重畳する極性を50秒ごとに切り替えている。これにより、プラス極側に高周波信号が重畳されているときは一方の電極（例えば、カーボンシート電極３３Ａ）からマイナスイオンが浸透促進され、逆にマイナス極側に高周波信号が重畳されているときは他方の電極（例えば、カーボンシート電極３３Ｂ）からマイナスイオンが浸透促進される。このように極性を切り替えることで２つの電極３３Ａ，３３Ｂの浸透促進効果を得ることが可能となる。
【００７８】
一方、イオン導入処理後のイオン導入効果の検証は、次のように行った。先ず、イオン導入処理を行った部位を石鹸洗浄し、続いてイオン導入部位にイオン導出処理（イオン導入処理を行った薬剤を再度引出す処理）を実施した。このイオン導出処理は、イオン導入と逆の処理であり、皮膚４０に導入されたイオンと逆極性の電位を印加することにより、皮膚４０に導入されたイオンを皮膚４０から導出する処理である。
【００７９】
そして、このようにしてイオン導入部位から導出された薬剤に対し、液体クロマトグラフ質量分析法を用いて質量分析を行った。図７は、その結果を示している。
【００８０】
図７は、４人のパネルの各実験結果の平均値を示している。同図において梨地で示すのは、本実施形態に係る高周波信号を含むイオン導入信号を用いてイオン導入を行い、その後にイオン導出した結果を示している（実施例として示している）。これに対し、白抜きで示すのは、イオン導入を行うことなく単に薬剤を含浸させたマスクを貼着し、その後にイオン導出した結果を示している（参考例として示している）。
【００８１】
高周波信号を含むイオン導入信号を用いてイオン導入を行った後にイオン導出された薬剤の量は、イオン導入を行うことなく単に薬剤を塗布した場合にイオン導出された薬剤の量に比べて多くなっている（p<0.01  paired-t-test）。具体的には、高周波信号を含むイオン導入信号を用いた方が、イオン導入を行わない場合に比べて浸透効果が約1.4倍程度向上している。
【００８２】
よって、図７に示す実験結果より、イオン導入を行うイオン導入用信号として、周波数ｆが1Hz＜ｆ≦20000Hzの範囲にある交流信号を用いた場合であっても、この交流信号のイオン導入に寄与しない極性領域に、交流信号よりも高い周波数の高周波信号を重畳することにより、イオン導入による浸透効果が向上することが実証された。
【００８３】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【符号の説明】
【００８４】
１０  美容機器
２０  情報処理手段
２０Ａ  出力端子
３０  美容施術手段
３１  電極パッド
３２  マスク
３３  カーボンシート電極
３４  オーディオケーブル
４０  皮膚
４１  入力手段
４２  出力手段
４３  記録手段
４４  信号再生手段
４５  画面生成手段
４６  ネットワーク接続手段
４７  制御手段
５１  入力装置
５２  出力装置
５３  ドライブ装置
５４  補助記憶装置
５５  メモリ装置
５６  ＣＰＵ
５７  ネットワーク接続装置
５８  記録媒体
【図１】
0005580383.tif 000002
【図２】
0005580383.tif 000003
【図３】
0005580383.tif 000004
【図４】
0005580383.tif 000005
【図５】
0005580383.tif 000006
【図６】
0005580383.tif 000007
【図７】
0005580383.tif 000008